(57)【要約】【課題】端局に設けられた端局装置を監視する監視装置が故障した場合でも、端局装置の監視を継続すること。【解決手段】前記端局Ｔ１１では、送信部１１Ａが海底光ケーブル１２０を介して、光信号を端局Ｔ１２に送信し、監視装置１０が送信部１１Ａの状態を監視し、通知部１１Ｂが送信部１１Ａの状態を示す状態情報を監視装置１０に通知する。端局Ｔ１２は、監視装置２０有する。送信部１１Ａは、監視装置１０の状態に応じて、海底光ケーブル１２０を介して、端局Ｔ１２に送信部１１Ａの状態情報を送信する。監視装置２０は、送信部１１Ａの状態情報に基づいて送信部１１Ａの状態を監視する。【選択図】図２
2020120224.tif 000002
【特許請求の範囲】
【請求項１】
海底光ケーブルと、
第１の端局と、
海底光ケーブルで前記第１の端局と接続される第２の端局と、を備え、
前記第１の端局は、
前記海底光ケーブルを介して、光信号を前記第２の端局に送信する第１の送信部と、
前記第１の送信部の状態を監視する第１の監視装置と、
前記第１の送信部の状態を示す状態情報を、前記第１の監視装置に通知する通知部と、を備え、
前記第２の端局は、第２の監視装置を備え、
前記第１の送信部は、前記第１の監視装置の状態に応じて、前記海底光ケーブルを介して、前記第２の端局に前記第１の送信部の状態情報を送信し、
前記第２の監視装置は、第２の端局が受け取った前記第１の送信部の状態情報に基づいて、前記第１の送信部の状態を監視する、
海底光通信システム。
【請求項２】
前記第２の端局は、第１の光受信器を備え、
前記第１の送信部は、前記第１の送信部の状態情報を変調した光信号を前記第１の光受信器へ出力し、
前記第１の光受信器は、変調された前記光信号を前記第１の送信部の状態情報に復調し、
前記第２の監視装置は、復調された前記第１の送信部の状態情報に基づいて、前記第１の送信部の状態を監視する、
請求項１に記載の海底光通信システム。
【請求項３】
前記第１の送信部は、前記第１の監視装置の故障に応じて切替信号を受け取る、
請求項１又は２に記載の海底光通信システム。
【請求項４】
前記第１の端局及び第２の端局を監視する中央監視装置と、
前記第１の端局及び前記第２の端局と前記中央監視装置との間の通信を媒介するネットワークと、を更に備え、
前記第１の監視装置の応答が無い場合に、前記中央監視装置が前記第１の監視装置の故障を検出して、前記切替信号を前記ネットワークを介して前記第１の端局へ出力する、
請求項３に記載の海底光通信システム。
【請求項５】
前記第１の監視装置の故障が検出された場合、前記中央監視装置は、前記第１の送信部の状態の監視に用いるアプリケーション、及び、前記中央監視装置が前記第１の監視装置から取得して蓄積した前記第１の送信部の状態情報の履歴の一方又は両方を、前記ネットワークを介して前記第２の監視装置に出力し、
前記第２の監視装置は、受け取った前記アプリケーションを用いて前記第１の送信部の状態情報を処理することで前記第１の送信部の状態を監視し、監視により得られた結果を前記履歴に付加する、
請求項４に記載の海底光通信システム。
【請求項６】
前記第１の端局と前記第２の端局との間の通信を媒介するネットワークを更に備え、
前記第１の監視装置の応答が無い場合に、前記第２の監視装置が前記第１の監視装置の故障を検出して、前記切替信号を前記第１の端局へ出力する、
請求項３に記載の海底光通信システム。
【請求項７】
前記第２の監視装置は、前記ネットワークを介して、前記切替信号を前記第１の端局へ出力する、
請求項６に記載の海底光通信システム。
【請求項８】
前記第１の端局は、第２の光受信器を備え、
前記第２の端局は、第２の送信部を備え、
前記第２の監視装置は、前記切替信号を前記第２の送信部に出力し、
前記第２の送信部は、前記切替信号を変調した光信号を前記第２の光受信器へ出力し、
前記第２の光受信器は、前記第２の送信部で変調された前記光信号を前記切替信号に復調する、
請求項６に記載の海底光通信システム。
【請求項９】
前記第１の端局及び第２の端局を監視する中央監視装置を更に備え、
前記第１の監視装置の故障が検出された場合、前記中央監視装置は、前記第１の送信部の状態の監視に用いるアプリケーション、及び、前記中央監視装置が前記第１の監視装置から取得して蓄積した前記第１の送信部の状態情報の履歴の一方又は両方を、前記ネットワークを介して前記第２の監視装置に出力し、
前記第２の監視装置は、受け取った前記アプリケーションを用いて前記第１の送信部の状態情報を処理することで前記第１の送信部の状態を監視し、監視により得られた結果を前記履歴に付加する、
請求項６乃至８のいずれか一項に記載の海底光通信システム。
【請求項１０】
前記第１の監視装置の故障を検出した場合、前記第２の監視装置は、前記中央監視装置に前記アプリケーション又は前記履歴の一方又は両方の提供を前記ネットワークを介して要求し、
前記中央監視装置は、前記要求に応じて、前記アプリケーション又は前記履歴の一方又は両方を出力する、
請求項９に記載の海底光通信システム。
【請求項１１】
前記通知部と前記第１の監視装置との間に挿入される第１のスイッチを更に備え、
前記通知部は、前記第１の監視装置の状態に応じて、前記第１の送信部の状態情報の出力先を、前記第１の監視装置から前記第１の送信部へ切り替える、
請求項１乃至１０のいずれか一項に記載の海底光通信システム。
【請求項１２】
第１の端局内に設けられた光送信器であって、
海底光ケーブルを介して、光信号を第２の端局に送信する第１の送信部と、
前記第１の送信部の状態を示す状態情報を、前記第１の端局に設けられた第１の監視装置に通知する通知部と、を備え、
前記第１の送信部は、前記第１の監視装置の状態に応じて前記海底光ケーブルを介して、前記第２の端局に設けられた第２の監視装置に前記第１の送信部の状態情報を送信し、
前記第２の監視装置は、受け取った前記第１の送信部の状態情報に基づいて、前記第１の送信部の状態を監視する、
光送信器。
【請求項１３】
前記第１の送信部は、前記第１の送信部の状態情報を変調した光信号を前記第２の端局に設けられた第１の光受信器へ出力し、
前記第１の光受信器は、変調された前記光信号を前記第１の送信部の状態情報に復調し、
前記第２の監視装置は、復調された前記第１の送信部の状態情報に基づいて、前記第１の送信部の状態を監視する、
請求項１２に記載の光送信器。
【請求項１４】
前記第１の送信部は、前記第１の監視装置の故障に応じて切替信号を受け取る、
請求項１２又は１３に記載の光送信器。
【請求項１５】
前記第１の監視装置の応答が無い場合に、前記第２の端局と前記第１の端局及び第２の端局を監視する中央監視装置が、前記第１の監視装置の故障を検出して、前記切替信号をネットワークを介して前記第１の端局へ出力する、
請求項１４に記載の光送信器。
【請求項１６】
前記第１の監視装置の故障が検出された場合、前記中央監視装置は、前記第１の送信部の状態の監視に用いるアプリケーション、及び、前記中央監視装置が前記第１の監視装置から取得して蓄積した前記第１の送信部の状態情報の履歴の一方又は両方を、前記ネットワークを介して前記第２の監視装置に出力し、
前記第２の監視装置は、受け取った前記アプリケーションを用いて前記第１の送信部の状態情報を処理することで前記第１の送信部の状態を監視し、監視により得られた結果を前記履歴に付加する、
請求項１５に記載の光送信器。
【請求項１７】
前記第１の監視装置の応答が無い場合に、前記第２の監視装置が前記第１の監視装置の故障を検出して、前記第１の端局と前記第２の端局との間の通信を媒介するネットワークを介して、前記切替信号を前記第１の端局へ出力する、
請求項１４に記載の光送信器。
【請求項１８】
前記第２の監視装置は、前記ネットワークを介して、前記切替信号を前記第１の端局へ出力する、
請求項１７に記載の光送信器。
【請求項１９】
前記第１の端局は、第２の光受信器を備え、
前記第２の端局は、第２の送信部を備え、
前記第２の監視装置は、前記切替信号を前記第２の端局に設けられた第２の送信部に出力し、
前記第２の送信部は、前記切替信号を変調した光信号を前記第１の端局に設けられた第２の光受信器へ出力し、
前記第２の光受信器は、前記第２の送信部で変調された前記光信号を前記切替信号に復調する、
請求項１７に記載の光送信器。
【請求項２０】
前記第１の監視装置の故障が検出された場合、前記第１の端局及び第２の端局を監視する中央監視装置は、前記第１の送信部の状態の監視に用いるアプリケーション、及び、前記中央監視装置が前記第１の監視装置から取得して蓄積した前記第１の送信部の状態情報の履歴の一方又は両方を、前記ネットワークを介して前記第２の監視装置に出力し、
前記第２の監視装置は、受け取った前記アプリケーションを用いて前記第１の送信部の状態情報を処理することで前記第１の送信部の状態を監視し、監視により得られた結果を前記履歴に付加する、
請求項１７乃至１９のいずれか一項に記載の光送信器。
【請求項２１】
前記第１の監視装置の故障を検出した場合、前記第２の監視装置は、前記中央監視装置に前記アプリケーション又は前記履歴の一方又は両方の提供を前記ネットワークを介して要求し、
前記中央監視装置は、前記要求に応じて、前記アプリケーション又は前記履歴の一方又は両方を出力する、
請求項２０に記載の光送信器。
【請求項２２】
前記通知部と前記第１の監視装置との間に第１のスイッチが挿入され、
前記第１のスイッチは、前記第１の監視装置の状態に応じて、前記第１の送信部の状態情報の出力先を、前記第１の監視装置から前記第１の送信部へ切り替える、
請求項１２乃至２１のいずれか一項に記載の光送信器。
【請求項２３】
海底光ケーブルを介して、光信号を他の端局に送信する第１の送信部と、
前記第１の送信部の状態を監視する第１の監視装置と、
前記第１の送信部の状態を示す状態情報を、前記第１の監視装置に通知する通知部と、を備え、
前記第１の送信部は、前記第１の監視装置の状態に応じて、前記海底光ケーブルを介して、前記他の端局に設けられた第２の監視装置へ前記第１の送信部の状態情報を送信し、
前記第２の監視装置は、受け取った前記第１の送信部の状態情報に基づいて、前記第１の送信部の状態を監視する、
端局。
【請求項２４】
前記端局を第１の端局、前記他の端局を第２の端局として、
前記第２の端局は、第１の光受信器を備え、
前記第１の送信部は、前記第１の送信部の状態情報を変調した光信号を前記第１の光受信器へ出力し、
前記第１の光受信器は、変調された前記光信号を前記第１の送信部の状態情報に復調し、
前記第２の監視装置は、復調された前記第１の送信部の状態情報に基づいて、前記第１の送信部の状態を監視する、
請求項２３に記載の端局。
【請求項２５】
前記第１の送信部は、前記第１の監視装置の故障に応じて切替信号を受け取る、
請求項２４に記載の端局。
【請求項２６】
前記第１の監視装置の応答が無い場合に、前記第１の端局及び前記第２の端局を監視する中央監視装置が前記第１の監視装置の故障を検出して、前記切替信号を、ネットワークを介して前記第１の端局へ出力する、
請求項２５に記載の端局。
【請求項２７】
前記第１の監視装置の故障が検出された場合、前記中央監視装置は、前記第１の送信部の状態の監視に用いるアプリケーション、及び、前記中央監視装置が前記第１の監視装置から取得して蓄積した前記第１の送信部の状態情報の履歴の一方又は両方を、前記ネットワークを介して前記第２の監視装置に出力し、
前記第２の監視装置は、受け取った前記アプリケーションを用いて前記第１の送信部の状態情報を処理することで前記第１の送信部の状態を監視し、監視により得られた結果を前記履歴に付加する、
請求項２６に記載の端局。
【請求項２８】
前記第１の監視装置の応答が無い場合に、前記第２の監視装置が前記第１の監視装置の故障を検出して、前記第１の端局と前記第２の端局との間の通信を媒介するネットワークを介して、前記切替信号を前記第１の端局へ出力する、
請求項２５に記載の端局。
【請求項２９】
前記第２の監視装置は、前記ネットワークを介して、前記切替信号を前記第１の端局へ出力する、
請求項２８に記載の端局。
【請求項３０】
前記第１の端局は、第２の光受信器を備え、
前記第２の端局は、第２の送信部を備え、
前記第２の監視装置は、前記切替信号を前記第２の送信部に出力し、
前記第２の送信部は、前記切替信号を変調した光信号を前記第２の光受信器へ出力し、
前記第２の光受信器は、前記第２の送信部で変調された前記光信号を前記切替信号に復調する、
請求項２８に記載の端局。
【請求項３１】
前記第１の監視装置の故障が検出された場合、前記第１の端局及び第２の端局を監視する中央監視装置は、前記第１の送信部の状態の監視に用いるアプリケーション、及び、前記中央監視装置が前記第１の監視装置から取得して蓄積した前記第１の送信部の状態情報の履歴の一方又は両方を、前記ネットワークを介して前記第２の監視装置に出力し、
前記第２の監視装置は、受け取った前記アプリケーションを用いて前記第１の送信部の状態情報を処理することで前記第１の送信部の状態を監視し、監視により得られた結果を前記履歴に付加する、
請求項２８乃至３０のいずれか一項に記載の端局。
【請求項３２】
前記第１の監視装置の故障を検出した場合、前記第２の監視装置は、前記中央監視装置に前記アプリケーション又は前記履歴の一方又は両方の提供を前記ネットワークを介して要求し、
前記中央監視装置は、前記要求に応じて、前記アプリケーション又は前記履歴の一方又は両方を出力する、
請求項３１に記載の端局。
【請求項３３】
前記通知部と前記第１の監視装置との間に挿入される第１のスイッチを更に備え、
前記通知部は、前記第１の監視装置の状態に応じて、前記第１の送信部の状態情報の出力先を、前記第１の監視装置から前記第１の送信部へ切り替える、
請求項２３乃至３２のいずれか一項に記載の端局。
【請求項３４】
海底光ケーブルと、
第１の端局と、
海底光ケーブルで前記第１の端局と接続される第２の端局と、を備え、
前記第１の端局は、
前記海底光ケーブルを介して、光信号を前記第２の端局に送信する第１の送信部と、
前記第１の送信部の状態を示す状態情報が通知されることにより、前記第１の送信部の状態を監視する第１の監視装置と、を備え、
前記第２の端局は第２の監視装置を備える、海底光通信システムにおいて、
前記第１の監視装置の状態に応じて、第１の送信部から、前記海底光ケーブルを介して、前記第２の端局に前記第１の送信部の状態情報を送信し、
第２の端局が受け取った前記第１の送信部の状態情報に基づいて、前記第２の監視装置が前記第１の送信部の状態を監視する、
海底光通信システムの通信方法。
【発明の詳細な説明】
【技術分野】
【０００１】
本発明は、光通信システム、光送信器、端局及び光通信システムの通信方法に関する。
【背景技術】
【０００２】
海底ケーブルシステムでは、陸上に設けられた端局間を海底ケーブルで接続することで、双方向通信ネットワークが構成される。陸揚げ局などの端局内には、光送信機などの端局装置を監視し、制御する監視制御装置が設けられる。
【０００３】
一般に、ある端局に設けられた監視制御装置は、その端局内に設けられた端局装置だけを監視し、制御している（特許文献１）。そのため、システムの信頼性の向上のために、端局内での端局装置の監視制御を冗長化するには、１つの端局に複数の（例えば２台の）監視制御装置を設けなければならなかった。しかし、監視制御が正常に動作している場合には１台の監視制御装置しか使用しないこととなり、その他の監視制御装置は使用されず、非効率な運用となってしまう。
【先行技術文献】
【特許文献】
【０００４】
【特許文献１】特開２００２−３６８７４８号公報
【発明の概要】
【発明が解決しようとする課題】
【０００５】
上述の通り、端局に設けられた監視制御装置は、その端局内に設けられた端局装置だけを監視し、制御している。そのため、システムの信頼性の向上のために、端局内での端局装置の監視制御を冗長化するには、１つの端局に複数の（例えば２台の）監視制御装置を設けなければならなかった。しかし、監視制御が正常に動作している場合には１台の監視制御装置しか使用しないこととなり、その他の監視制御装置は使用されず、非効率な運用となってしまう。
【０００６】
本発明は、上記の事情に鑑みて成されたものであり、端局に設けられた端局装置を監視する監視装置が故障した場合でも端局装置の監視を効率的に継続することを目的とする。
【課題を解決するための手段】
【０００７】
本発明の一態様である海底光通信システムは、海底光ケーブルと、第１の端局と、海底光ケーブルで前記第１の端局と接続される第２の端局と、を有し、前記第１の端局は、前記海底光ケーブルを介して、光信号を前記第２の端局に送信する第１の送信部と、  前記第１の送信部の状態を監視する第１の監視装置と、前記第１の送信部の状態を示す状態情報を、前記第１の監視装置に通知する通知部と、を有し、前記第２の端局は、第２の監視装置を有し、前記第１の送信部は、前記第１の監視装置の状態に応じて、前記海底光ケーブルを介して、前記第２の端局に前記第１の送信部の状態情報を送信し、前記第２の監視装置は、第２の端局が受け取った前記第１の送信部の状態情報に基づいて、前記第１の送信部の状態を監視する、ものである。
【０００８】
本発明の一態様である光送信器は、第１の端局内に設けられた光送信器であって、海底光ケーブルを介して、光信号を第２の端局に送信する第１の送信部と、前記第１の送信部の状態を示す状態情報を、前記第１の端局に設けられた第１の監視装置に通知する通知部と、を有し、前記第１の送信部は、前記第１の監視装置の状態に応じて、前記海底光ケーブルを介して、前記第２の端局に設けられた第２の監視装置に前記第１の送信部の状態情報を送信する、前記第２の監視装置は、受け取った前記第１の送信部の状態情報に基づいて、前記第１の送信部の状態を監視する、ものである。
【０００９】
本発明の一態様である端局は、海底光ケーブルを介して、光信号を他の端局に送信する第１の送信部と、前記第１の送信部の状態を監視する第１の監視装置と、前記第１の送信部の状態を示す状態情報を、前記第１の監視装置に通知する通知部と、を有し、前記第１の送信部は、前記第１の監視装置の状態に応じて、前記海底光ケーブルを介して、前記他の端局に設けられた第２の監視装置へ前記第１の送信部の状態情報を送信し、前記第２の監視装置は、受け取った前記第１の送信部の状態情報に基づいて、前記第１の送信部の状態を監視する、ものである。
【００１０】
本発明の一態様である海底光通信システムの通信方法は、海底光ケーブルと、第１の端局と、海底光ケーブルで前記第１の端局と接続される第２の端局と、を有し、前記第１の端局は、前記海底光ケーブルを介して、光信号を前記第２の端局に送信する第１の送信部と、前記第１の送信部の状態を示す状態情報が通知されることにより、前記第１の送信部の状態を監視する第１の監視装置と、を有し、前記第２の端局は第２の監視装置を備える、海底光通信システムにおいて、前記第１の監視装置の状態に応じて、第１の送信部から、前記海底光ケーブルを介して、前記第２の端局に前記第１の送信部の状態情報を送信し、第２の端局が受け取った前記第１の送信部の状態情報に基づいて、前記第２の監視装置が前記第１の送信部の状態を監視する、ものである。
【発明の効果】
【００１１】
本発明によれば、端局に設けられた端局装置を監視する監視装置が故障した場合でも端局装置の監視を効率的に継続することができる。
【図面の簡単な説明】
【００１２】
【図１】実施の形態１にかかる海底光通信システムの構成を模式的に示す図である。
【図２】実施の形態１にかかる端局の構成を模式的に示す図である。
【図３】実施の形態１にかかる端局の構成を模式的に示す図である。
【図４】実施の形態１にかかる海底光通信システムの動作を示すフローチャートである。
【図５】実施の形態１にかかる海底光通信システムでの信号の切替後の経路を示す図である。
【図６】実施の形態２にかかる海底光通信システムの構成を模式的に示す図である。
【図７】実施の形態２にかかる海底光通信システムの動作を示すフローチャートである。
【図８】実施の形態２にかかる海底光通信システムでの信号の切替後の経路を示す図である。
【図９】実施の形態３にかかる海底光通信システムの構成を模式的に示す図である。
【図１０】実施の形態４にかかる海底光通信システムの構成を模式的に示す図である。
【図１１】実施の形態４にかかる海底光通信システムの動作を示すフローチャートである。
【図１２】実施の形態４にかかる海底光通信システムにおける信号の経路を示す図である。
【図１３】実施の形態４にかかる海底光通信システムの動作を示すフローチャートである。
【図１４】実施の形態４にかかる海底光通信システムにおける信号の経路を示す図である。
【図１５】実施の形態５にかかる海底光通信システムの構成を模式的に示す図である。
【図１６】端局の構成をより詳細に示す図である。
【図１７】実施の形態７にかかる海底光通信システムの構成を模式的に示す図である。
【図１８】実施の形態７にかかる海底光通信システムの切替後の信号の経路を示す図である。
【図１９】実施の形態７にかかる海底光通信システムにルータを追加した構成を模式的に示す図である。
【発明を実施するための形態】
【００１３】
以下、図面を参照して本発明の実施の形態について説明する。各図面においては、同一要素には同一の符号が付されており、必要に応じて重複説明は省略される。
【００１４】
実施の形態１
実施の形態１にかかる海底光通信システム１００について説明する。図１に、実施の形態１にかかる海底光通信システム１００の構成を模式的に示す。海底光通信システム１００は、端局Ｔ１１及びＴ１２、通信ネットワーク１１０、海底ケーブル１２０及びネットワークオペレーションセンター（ＮＯＣ：Network Operation Center）１３０を有する。
【００１５】
端局Ｔ１１（第１の端局）及びＴ１２（第２の端局）は、海底ケーブル１２０を介して相互に接続され、光信号の送受信が可能に構成される。また、端局Ｔ１１及びＴ１２は、通信ネットワーク１１０を介してＮＯＣ１３０とそれぞれ接続される。通信ネットワーク１１０は、例えばＷＡＮ（Wide Area Network）などの電気信号による通信を媒介するネットワークとして構成される。端局Ｔ１１及びＴ１２は、それぞれ通信ネットワーク１１０を介して、端局内部の状態を示す情報をＮＯＣ１３０へ送信し、かつ、ＮＯＣ１３０からの制御指示を受信することができる。
【００１６】
ＮＯＣ１３０は、海底光通信システム１００を一元的に監視する中央監視装置（ＵＭＳ: Unified Management System）１０１と、ルータ１０２とを有する。ＵＭＳ１０１は、ルータ１０２を介して、端局Ｔ１１及びＴ１２のそれぞれから端局内部の状態を示す情報を受信し、各端局の状態を監視することができる。そして、ＵＭＳ１０１は、監視している各端局の状態に応じて、端局Ｔ１１及びＴ１２のそれぞれへ制御指示を送信することができる。
【００１７】
次いで、端局Ｔ１１の構成について説明する。ここでは、端局Ｔ１１の送信機能に着目して説明する。図２に、実施の形態１にかかる端局Ｔ１１の構成を模式的に示す。
【００１８】
端局Ｔ１１は、監視装置１０（第１の監視装置）及び光送信器１１を有する。監視装置１０は、端局装置である光送信器１１などの端局内の装置（端局装置）の状態を監視する監視装置（ＥＭＳ：Element Management System）として構成される。以下では、端局内に設けられる監視装置は、端局内の端局装置及び端局外の管理サーバ（ＮＯＣなど）と通信し、かつ、必要な処理を行うことができるサーバとして構成されてもよい。
【００１９】
光送信器１１は、入力されるデータ信号などの電気信号に応じて変調された光信号を出力するトランスポンダ装置として構成される。光送信器１１は、送信部１１Ａ（第１の送信部）及び通知部１１Ｂを有する。
【００２０】
送信部１１Ａは、入力されるデータ信号などの電気信号に応じて変調された光信号（主信号）を出力する光トランシーバとして構成される。また、送信部１１Ａは、後述するように、通知部１１Ｂから状態情報を示す通知信号Ｓ１１が入力された場合には、主信号のオーバヘッドの空き領域に情報を格納する機能(オーダワイヤ（Order wire）機能)を使用して、通知信号Ｓ１１に含まれる状態情報を主信号に格納する。
【００２１】
通知部１１Ｂは、例えばＣＰＵなどの処理部として構成され、送信部１１Ａの状態情報Ｃ１１を読み込み、読み込んだ状態情報Ｃ１１を示す通知信号Ｓ１１を監視装置１０へ出力する。また、通知部１１Ｂは、監視装置１０が故障したときには、通知信号Ｓ１１を送信部１１Ａへ出力することも可能である。
【００２２】
なお、ここでいう端局装置の状態とは、例えば、端局装置が光送信器である場合には、光送信器から出力される光信号ＯＰの光パワーや波長などの端局装置の動作にかかる値やパラメータなどを含むものとする。
【００２３】
監視装置１０は、受け取った通知信号Ｓ１１に基づいて、光送信器１１の状態を把握し、必要に応じて光送信器１１を制御してもよいし、光送信器１１の状態情報Ｃ１１を蓄積して履歴情報を保持してもよい。また、監視装置１０は、受け取った通知信号Ｓ１１に基づいて、端局Ｔ１１の運用状態などの情報を示す信号ＩＮＦ１を、通信ネットワーク１１０を介して、ＮＯＣ１３０のＵＭＳ１０１へ送信してもよい。本実施の形態では、監視装置１０は、端局Ｔ１１の状態などを示す情報ＩＮＦ１を、ＵＭＳ１０１へ送信するものとする。信号ＩＮＦ１に光送信器１１などの端局装置の状態情報が含まれている場合には、受け取った状態情報を蓄積することで、端局装置の履歴情報をデータベースとして保持してもよい。
【００２４】
次いで、端局Ｔ１２について説明する。ここでは、端局Ｔ１２の受信機能に着目して説明する。図３に、実施の形態１にかかる端局Ｔ１２の構成を模式的に示す。
【００２５】
端局Ｔ１２は、監視装置２０（第２の監視装置）及び光受信器２１（第１の光受信器）を有する。監視装置２０は、端局Ｔ１１の監視装置１０と同様に、端局装置である光受信器２１などの端局内の装置の状態を監視する監視装置（ＥＭＳ）として構成される。光受信器２１は、海底ケーブル１２０を介して受け取った光信号を電気信号に変換する。
【００２６】
監視装置２０は、光受信器２１などの端局装置から受け取った通知信号に基づいて端局装置の状態を把握し、必要に応じて端局装置を制御してもよいし、端局装置の状態情報を蓄積して履歴情報を保持してもよい。また、監視装置２０は、受け取った通知信号に基づいて、端局Ｔ１２の運用状態などの情報を示す信号ＩＮＦ２を、通信ネットワーク１１０を介して、ＮＯＣ１３０のＵＭＳ１０１へ送信してもよい。本実施の形態では、監視装置２０は、端局Ｔ１２の状態などを示す信号ＩＮＦ２を、ＵＭＳ１０１へ送信するものとする。信号ＩＮＦ２に端局装置の状態情報が含まれている場合には、受け取った状態情報を蓄積することで、端局装置の履歴情報をデータベースとして保持してもよい。
【００２７】
次いで、海底光通信システム１００の動作について説明する。図４は、実施の形態１にかかる海底光通信システム１００の動作を示すフローチャートである。端局Ｔ１１では、監視装置１０に故障が発生すると、監視装置１０による端局Ｔ１１に設けられた光送信器１１などの端局装置の状態の監視ができなくなる事態が生じうる。端局Ｔ１１では、監視装置１０を代替する他の監視装置は存在しない。そのため、本実施の形態では、監視装置１０が故障したときに、端局Ｔ１１の端局装置の状態の監視を他の端局によって継続するための切替動作を行う。
【００２８】
ステップＳＴ１１
監視装置１０が故障すると、監視装置１０からＵＭＳ１０１への信号ＩＮＦ１の出力が停止する。ＵＭＳ１０１は、信号ＩＮＦ１を常時監視することで、例えば信号ＩＮＦ１の出力が停止するなどの端局Ｔ１１の応答がなくなった場合に、端局Ｔ１１の監視装置１０が故障したことを検知可能である。
【００２９】
ステップＳＴ１２
監視装置１０の故障を検知したならば、ＵＭＳ１０１は、光送信器１１からの通知信号Ｓ１１の出力先を変更する制御を行うため、通信ネットワーク１１０を介して、端局Ｔ１１へ切替信号ＳＷ１を出力する。端局Ｔ１１では、光送信器１１の通知部１１Ｂに切替信号ＳＷ１が入力される。図５に、実施の形態１にかかる海底光通信システム１００での信号の切替後の経路を示す。切替信号ＳＷ１は、光送信器１１の状態情報（状態情報）の出力先の切り替え指令と、状態情報の出力先を指定するＩＰアドレスなどのアドレス情報と、が含まれる。本実施の形態では、光送信器１１の状態情報の出力先を、端局Ｔ１２へ切り替える場合について説明する。
【００３０】
ステップＳＴ１３
通知部１１Ｂは、切替信号ＳＷ１を受け取った場合、通知信号Ｓ１１の出力先を、監視装置１０から送信部１１Ａへ変更する。
【００３１】
ステップＳＴ１４
送信部１１Ａは、受け取った通知信号Ｓ１１に応じて光信号を変調することにより生成された通知光信号ＯＰ１を、海底ケーブル１２０を介して端局Ｔ１２へ出力する。この場合、端局Ｔ１２では、海底ケーブル１２０を介して、光受信器２１に通知光信号ＯＰ１が入力される。光受信器２１は、通知光信号ＯＰ１を電気信号である通知信号Ｓ１１に復調して、監視装置２０へ出力する。これにより監視装置２０は、通知信号Ｓ１１を常時監視することで、光送信器１１の状態の監視を行うことが可能である。
【００３２】
以上、本構成によれば、端局の監視装置が故障した場合でも、当該端局内の監視対象の端局装置の状態情報の出力先を他の端局の監視装置に変更することで、他の端局の監視装置によって監視対象の端局装置の監視を継続することが可能である。
【００３３】
実施の形態２
実施の形態２にかかる海底光通信システム２００について説明する。図６に、実施の形態２にかかる海底光通信システム２００の構成を模式的に示す。海底光通信システム２００は、実施の形態１にかかる海底光通信システム１００の端局Ｔ１１及び端局Ｔ１２を、それぞれ端局Ｔ２１及び端局Ｔ２２に置換した構成を有する。
【００３４】
海底光通信システム１００では、端局Ｔ１１の監視装置１０が故障した場合に、端局Ｔ１１から端局Ｔ１２への一方向へ状態情報を送信する経路切替について説明した。これに対し、本実施の形態では、一方の端局の監視装置が故障した場合に、故障が生じた端局から他の端局へ、双方向的に状態情報の送信が可能な構成について説明する。
【００３５】
端局Ｔ２１は、端局Ｔ１１に、光受信器１２を追加した構成を有する。光受信器１２は、光受信器２１と同様の構成を有する。光受信器１２は、海底ケーブル１２０を介して受け取った光信号を電気信号に変換する。
【００３６】
端局Ｔ２２は、端局Ｔ１２に、光送信器２２を追加した構成を有する。光送信器２２は、光送信器１１と同様の構成を有する。光送信器２２は、入力されるデータ信号などの電気信号に応じて変調された光信号を出力するトランスポンダ装置として構成される。光送信器２２は、送信部２２Ａ（第２の送信部）及び通知部２２Ｂを有する。
【００３７】
送信部２２Ａは、入力されるデータ信号などの電気信号を変調した光信号（主信号）を出力する光トランシーバとして構成される。また、送信部２２Ａは、後述するように、通知部２２Ｂから状態情報を示す通知信号Ｓ２２が入力された場合には、主信号のオーバヘッドの空き領域に情報を格納する機能(オーダワイヤ（Order wire）機能)を使用して、通知信号Ｓ２２に含まれる状態情報を主信号に格納する。
【００３８】
通知部２２Ｂは、例えばＣＰＵなどの処理部として構成され、送信部２２Ａの状態情報Ｃ２２を読み込み、読み込んだ状態情報Ｃ２２を示す通知信号Ｓ２２を監視装置２０へ出力する。また、通知部２２Ｂは、監視装置２０が故障したときには、通知信号Ｓ２２を送信部２２Ａへ出力することも可能である。
【００３９】
監視装置２０は、受け取った通知信号Ｓ２２に基づいて、端局Ｔ２２の運用状態などの情報を示す信号ＩＮＦ２を、通信ネットワーク１１０を介して、ＮＯＣ１３０のＵＭＳ１０１へ送信する。
【００４０】
次いで、海底光通信システム２００の動作について説明する。監視装置１０が故障した場合の切替動作については、海底光通信システム１００と同様であるので、説明を省略する。
【００４１】
以下、端局Ｔ２２の監視装置２０が故障した場合の切替動作について説明する。図７は、実施の形態２にかかる海底光通信システム２００の動作を示すフローチャートである。
【００４２】
端局Ｔ２２では、監視装置２０に故障が発生すると、光送信器２２などの端局装置の状態の監視ができなくなる事態が生じうる。端局Ｔ２２では、監視装置２０を代替する他の監視装置は存在しない。そのため、監視装置２０が故障したときに、端局Ｔ２２の端局装置の状態の監視を端局Ｔ２１によって継続するための切替動作を行う。
【００４３】
ステップＳＴ２１
監視装置２０が故障すると、監視装置２０からＵＭＳ１０１への信号ＩＮＦ２の出力が停止する。ＵＭＳ１０１は、信号ＩＮＦ２を常時監視することで、信号ＩＮＦ２の出力が停止した場合に、端局Ｔ２２の監視装置２０が故障したことを検知可能である。
【００４４】
ステップＳＴ２２
監視装置２０の故障を検知したならば、ＵＭＳ１０１は、光送信器２２からの通知信号Ｓ２２の出力先を変更する制御を行うため、通信ネットワーク１１０を介して、端局Ｔ２２へ切替信号ＳＷ２を出力する。図８に、実施の形態２にかかる海底光通信システム２００での信号の切替後の経路を示す。端局Ｔ２２では、光送信器２２の通知部２２Ｂに切替信号ＳＷ２が入力する。切替信号ＳＷ２は、光送信器２２の状態を示す情報（状態情報）の出力先の切り替え指令と、状態情報の出力先を指定するＩＰアドレスなどのアドレス情報と、が含まれる。
【００４５】
ステップＳＴ２３
通知部２２Ｂは、切替信号ＳＷ２を受け取った場合、通知信号Ｓ２２の出力先を、監視装置２０から送信部２２Ａへ変更する。
【００４６】
ステップＳＴ２４
送信部２２Ａは、受け取った通知信号Ｓ２２に応じて光信号を変調することにより生成された通知光信号ＯＰ２を、海底ケーブル１２０を介して端局Ｔ２１へ出力する。この場合、端局Ｔ２１では、海底ケーブル１２０を介して、光受信器１２に通知光信号ＯＰ２が入力される。光受信器１２は、通知光信号ＯＰ２を電気信号である通知信号Ｓ２２に復調して、監視装置１０へ出力する。これにより監視装置１０は、通知信号Ｓ２２を常時監視することで、光送信器２２の状態の監視を行うことが可能である。
【００４７】
以上、本構成によれば、ＵＭＳ１０１が端局Ｔ２１の監視装置１０と端局Ｔ２２の監視装置２０とを監視することで、一方の端局の監視装置で故障が発生しても、故障が生じた端局の端局装置の状態情報を、他方の端局の監視装置で監視することができる。
【００４８】
実施の形態３
実施の形態３にかかる海底光通信システム３００について説明する。図９に、実施の形態３にかかる海底光通信システム３００の構成を模式的に示す。海底光通信システム３００は、実施の形態２にかかる海底光通信システム２００の変形例である。
【００４９】
海底光通信システム３００では、端局Ｔ２１の監視装置１０から、端局Ｔ２２の監視装置２０へ、端局Ｔ２１の運転状態を示す信号ＩＮＦ１が送信される。監視装置１０が故障すると信号ＩＮＦ１の出力が停止するので、監視装置２０は、信号ＩＮＦ１を常時監視することで、端局Ｔ２１の監視装置１０の故障を検知可能である。監視装置１０の故障を検知したならば、監視装置２０は、光送信器１１からの通知信号Ｓ１１の出力先を変更する制御を行うため、通信ネットワーク１１０を介して、端局Ｔ２１へ切替信号ＳＷ１を出力する。これにより、実施の形態２と同様に、端局Ｔ２１の監視装置１０が故障した場合に、端局Ｔ２１の光送信器１１の状態を端局Ｔ２２の監視装置２０で監視することができる。
【００５０】
また、海底光通信システム３００では、端局Ｔ２２の監視装置２０から、端局Ｔ２１の監視装置１０へ、端局Ｔ２２の運転状態を示す信号ＩＮＦ２が送信される。監視装置２０が故障すると信号ＩＮＦ２の出力が停止するので、監視装置１０は、信号ＩＮＦ２を常時監視することで、端局Ｔ２２の監視装置２０の故障を検知可能である。監視装置２０の故障を検知したならば、監視装置１０は、光送信器２２からの通知信号Ｓ２２の出力先を変更する制御を行うため、通信ネットワーク１１０を介して、端局Ｔ２２へ切替信号ＳＷ２を出力する。これにより、実施の形態２と同様に、端局Ｔ２２の監視装置２０が故障した場合に、端局Ｔ２２の光送信器２２の状態を端局Ｔ２１の監視装置１０で監視することができる。
【００５１】
以上、本構成によれば、端局Ｔ２１の監視装置１０と端局Ｔ２２の監視装置２０とが相互監視を行うことで、実施の形態２と同様に、一方の端局の監視装置で故障が発生しても、故障が生じた端局の端局装置の状態情報を、他方の端局の監視装置で監視することができる。
【００５２】
また、本構成によれば、ＵＭＳ１０１が介在しない又は介在できない場合でも、端局間の相互監視によって、実施の形態２と同様に、一方の端局の監視装置で故障が発生しても、故障が生じた端局の端局装置の状態情報を、他方の端局の監視装置で監視することができる。また、実施の形態２と同様に、ＵＭＳ１０１による故障監視と併用することで、故障監視機能の冗長化を図ることも可能である。
【００５３】
本実施の形態では、端局間での信号ＩＮＦ１及びＩＮＦ２は通信ネットワーク１１０を介して送信されるものとして説明したが、これは例示に過ぎない。例えば、信号ＩＮＦ１及びＩＮＦ２を光送信器で光信号に変換して、海底ケーブル１２０を介して端局間で送受信してもよい。
【００５４】
実施の形態４
実施の形態４にかかる海底光通信システム４００について説明する。図１０に、実施の形態４にかかる海底光通信システム４００の構成を模式的に示す。海底光通信システム４００は、実施の形態２にかかる海底光通信システム２００の変形例である。
【００５５】
海底光通信システム４００は、海底光通信システム２００と同様に、ＵＭＳ１０１が端局Ｔ２１の監視装置１０と端局Ｔ２２の監視装置２０とを監視する。
【００５６】
端局に設けられる端局装置は、端局ごとに、その数、種類（例えば、光送信器、光受信器、給電装置、合分波装置など）、設定及び構造などが異なる場合がある。そのため、故障した監視装置を含む端局から端局装置の状態情報含む信号を送信しても、状態情報を含む信号を受け取った端局の監視装置が、その状態情報を処理するためのアプリケーションを保有していない場合が考え得る。
【００５７】
そこで、本実施の形態では、一方の監視装置が故障したときに、故障が生じた端局の端局装置の状態情報を監視できるように、ＵＭＳ１０１が他方の端局へアプリケーションを提供する。これにより、端局ごとの端局装置の相違にかかわらず、故障が生じた端局の端局装置の状態情報を他の端局で監視することができる。
【００５８】
監視装置１０及び２０は、それぞれ受け取った通知信号Ｓ１１及びＳ２２を継続的に保持することで、光送信器１１及び２２の状態情報の履歴を取得することが考え得る。ＵＭＳ１０１が、端局Ｔ２１及びＴ２２から受け取る信号ＩＮＦ１及びＩＮＦ２を用いて、端局Ｔ２１及びＴ２２の運転履歴などの履歴情報を取得することが考え得る。この場合、一方の監視装置が故障した場合でも、故障が生じた端局の端局装置の状態情報の過去の履歴を参照できるように、ＵＭＳ１０１が他方の端局へ故障した監視装置から取得した履歴情報を提供してもよい。これにより、監視装置が故障した場合でも、端局装置の監視を引き継いだ他の端局の監視装置によって、状態情報の履歴の取得を継続することが可能となる。
【００５９】
以下、海底光通信システム４００の動作について説明する。図１１は、実施の形態４にかかる海底光通信システム４００の動作を示すフローチャートである。図１２に、実施の形態４にかかる海底光通信システム４００における信号の経路を示す。
【００６０】
監視装置１０が故障すると、実施の形態２と同様に、ＵＭＳ１０１が監視装置１０の故障を検知する（ステップＳＴ１１）。この場合、ＵＭＳ１０１は、端局Ｔ２１へ切替信号ＳＷ１を出力する（ステップＳＴ１２）とともに、通知信号Ｓ１１を処理するためのアプリケーションを示す情報ＡＰＰ１と信号ＩＮＦ１を用いて取得した履歴データベースＤＢ１とを端局Ｔ２２へ出力する（ステップＳＴ４１）。この例では、情報ＡＰＰ１及び履歴データベースＤＢ１はＮＯＣ１０１のメモリ１０３に格納され、ＵＭＳ１０１が情報ＡＰＰ１及び履歴データベースＤＢ１を適宜読み出してもよい。ステップＳＴ１及びＳＴ１４は、図４と同様であるので、説明を省略する。
【００６１】
監視装置２０は、情報ＡＰＰ１を受け取り、通知信号Ｓ１１が示す光送信器１１の状態情報の処理に用いるアプリケーションを取得することができる。監視装置２０は、取得したアプリケーションを用いて、通知信号Ｓ１１を、監視装置１０と同様に処理することが可能となる。なお、情報ＡＰＰ１が示すアプリケーションは、監視装置１０が通知信号Ｓ１１の処理に用いるアプリケーションと同じでもよく、監視装置１０と同様の処理が行えるならば異なるアプリケーションであってもよい。また、監視装置２０は、履歴データベースＤＢ１を受け取り、履歴データベースＤＢ１が示す情報に通知信号Ｓ１１が示す光送信器１１の状態情報を追加的に付加することで、光送信器１１の状態情報の履歴の取得を継続することができる。
【００６２】
図１３は、実施の形態４にかかる海底光通信システム４００の動作を示すフローチャートである。図１４に、実施の形態４にかかる海底光通信システム４００における信号の経路を示す。監視装置２０が故障すると、実施の形態２と同様に、ＵＭＳ１０１が監視装置２０の故障を検知する（ステップＳＴ３１）。この場合、ＵＭＳ１０１は、端局Ｔ２２へ切替信号ＳＷ２を出力する（ステップＳＴ３２）とともに、通知信号Ｓ２２を処理するためのアプリケーションを示す情報ＡＰＰ２と信号ＩＮＦ２を用いて取得した履歴データベースＤＢ２とを端局Ｔ２１へ出力する（ステップＳＴ４２）。この例では、情報ＡＰＰ２及び履歴データベースＤＢ２はＮＯＣ１０１のメモリ１０３に格納され、ＵＭＳ１０１が情報ＡＰＰ２及び履歴データベースＤＢ２を適宜読み出してもよい。ステップＳＴ２３及びＳＴ２４は、図７と同様であるので、説明を省略する。
【００６３】
監視装置１０は、情報ＡＰＰ２を受け取り、通知信号Ｓ２２が示す光送信器２２の状態情報の処理に用いるアプリケーションを取得することができる。監視装置１０は、取得したアプリケーションを用いて、通知信号Ｓ２２を、監視装置２０と同様に処理することが可能となる。なお、情報ＡＰＰ２が示すアプリケーションは、監視装置２０が通知信号Ｓ２２の処理に用いるアプリケーションと同じでもよく、監視装置２０と同様の処理が行えるならば異なるアプリケーションであってもよい。また、監視装置１０は、履歴データベースＤＢ２を受け取り、履歴データベースＤＢ２が示す情報に通知信号Ｓ２２が示す光送信器２２の状態情報を追加的に付加することで、光送信器２２の状態情報の履歴の取得を継続することができる。
【００６４】
以上、本構成によれば、一方の監視装置が故障したときに、故障が生じた端局の端局装置の状態情報を監視できるように、端局ごとの端局装置の相違にかかわらず、ＵＭＳ１０１がアプリケーション及び履歴データベースを他の端局へ提供することで、故障が生じた端局の端局装置の状態情報を監視することができる。
【００６５】
実施の形態５
実施の形態５にかかる海底光通信システム５００について説明する。図１５に、実施の形態５にかかる海底光通信システム５００の構成を模式的に示す。海底光通信システム５００は、実施の形態３にかかる海底光通信システム３００の変形例である。
【００６６】
海底光通信システム５００は、海底光通信システム３００と同様に、端局Ｔ２１の監視装置１０と端局Ｔ２２の監視装置２０とが、相互監視を行う。また、必要に応じて、故障した監視装置の監視を引き継ぐ他の端局の監視装置に、実施の形態４と同様に、必要に応じてアプリケーション及び履歴データベースが提供される。
【００６７】
以下、海底光通信システム５００の動作について説明する。端局Ｔ２１の監視装置１０が故障すると、実施の形態３と同様に、端局Ｔ２２の監視装置２０が監視装置１０の故障を検知する。この場合、監視装置２０は、端局Ｔ２１へ切替信号ＳＷ１を出力するとともに、通知信号Ｓ１１を処理するためのアプリケーション及び履歴データベースＤＢ１を要求する信号ＲＥＱ１を、ＵＭＳ１０１へ出力する。ＵＭＳ１０１は、信号ＲＥＱ１を受け取ったならば、通知信号Ｓ１１を処理するためのアプリケーションを示す情報ＡＰＰ１と履歴データベースＤＢ１と、を端局Ｔ２２へ出力する。これにより、監視装置２０は、実施の形態４と同様に、通知信号Ｓ１１が示す光送信器１１の状態情報の処理に用いるアプリケーションを取得し、かつ、履歴情報を蓄積することができる。
【００６８】
また、端局Ｔ２２の監視装置２０が故障すると、実施の形態３と同様に、端局Ｔ２１の監視装置１０が監視装置２０の故障を検知する。この場合、監視装置１０は、端局Ｔ２２へ切替信号ＳＷ２を出力するとともに、通知信号Ｓ２２を処理するためのアプリケーションと履歴データベースＤＢ２とを要求する信号ＲＥＱ２を、ＵＭＳ１０１へ出力する。ＵＭＳ１０１は、信号ＲＥＱ２を受け取ったならば、通知信号Ｓ２２を処理するためのアプリケーションを示す情報ＡＰＰ２と履歴データベースＤＢ２とを、端局Ｔ２１へ出力する。これにより、監視装置１０は、実施の形態４と同様に、通知信号Ｓ２２が示す光送信器２２の状態情報の処理に用いるアプリケーションを取得し、かつ、履歴情報を蓄積することができる。
【００６９】
以上、本構成によれば、一方の監視装置が故障したときに、故障が生じた端局の端局装置の状態情報を監視できるように、端局ごとの端局装置の相違にかかわらず、ＵＭＳ１０１がアプリケーション及び履歴データベースを他の端局へ提供することで、故障が生じた端局の端局装置の状態情報を監視することができる。
【００７０】
実施の形態６
本実施の形態では、実施の形態１にかかる端局Ｔ１１の構成について、より詳細に説明する。図１６に、端局Ｔ１１の構成をより詳細に示す。図１６に示す端局Ｔ１１は、スイッチ１３を更に有する。スイッチ１３は、例えばＬ２スイッチとして構成される。
【００７１】
通知部１１Ｂは、監視装置１０が故障していない場合には、通知信号Ｓ１１の出力先として監視装置１０を指定するＩＰアドレスなどのアドレス情報を通知信号Ｓ１１に付加して、スイッチ１３へ送信する。スイッチ１３は、通知信号Ｓ１１のアドレス情報を参照して、通知信号Ｓ１１を監視装置１０へ送信する。
【００７２】
一方、監視装置１０が故障している場合には、切替信号ＳＷ１により、通知信号Ｓ１１の出力先として、監視装置２０が指定される。よって、通知部１１Ｂは、通知信号Ｓ１１の出力先として監視装置２０を指定するアドレス情報を通知信号Ｓ１１に付加して、通知信号Ｓ１１をスイッチ１３へ送信する。
【００７３】
スイッチ１３は、通知信号Ｓ１１のアドレス情報を参照して、通知信号Ｓ１１の経路を変更し、通知信号Ｓ１１を光送信器１１のオーダワイヤポート１１Ｃへ送信する。オーダワイヤポートに入力された通知信号Ｓ１１は、送信部１１Ａへ入力される。
【００７４】
送信部１１Ａは、受け取った通知信号Ｓ１１を変調し、変調した通知光信号ＯＰ１を、海底ケーブル１２０を介して端局Ｔ１２へ出力する。上述したように、送信部１１Ａは、通知信号Ｓ１１が入力された場合には、主信号のオーバヘッドの空き領域を使用して、通知信号Ｓ１１を出力することができる（オーダワイヤ機能）。
【００７５】
以上、本構成によれば、スイッチが通知信号のアドレスを参照することで、通知信号（すなわち、端局装置の状態情報）の出力先を、自動的にかつ柔軟に変更することが可能となる。
【００７６】
実施の形態７
実施の形態７にかかる海底光通信システム７００について説明する。図１７に、実施の形態７にかかる海底光通信システム７００の構成を模式的に示す。海底光通信システム７００は、実施の形態３にかかる海底光通信システム３００の変形例である。本実施の形態では、一方の端局から他の端局へ、海底ケーブル１２０を介して切替信号を送信する場合について説明する。
【００７７】
図１７では、端局Ｔ２１及びＴ２２の構成をより詳細に示している。図１７に示すように、端局Ｔ２１は、実施の形態６と同様に、スイッチ１３を有している。また、端局Ｔ２１は、端局装置として、給電装置１４及び合分波装置１５が設けられている。端局Ｔ２２は、スイッチ１３と同様のスイッチ２３を有している、また、また、端局Ｔ２２は、端局装置として、給電装置２４及び合分波装置２５が設けられている。
【００７８】
以下、海底光通信システム７００の動作について説明する。監視装置２０は、信号ＩＮＦ１を常時監視することで、端局Ｔ２１の監視装置１０の故障を検知可能である。監視装置１０の故障を検知したならば、監視装置２０は、光送信器１１からの通知信号Ｓ１１の出力先を変更する制御を行うため、海底ケーブル１２０を介して、端局Ｔ２１へ切替信号ＳＷ１を出力する。
【００７９】
具体的には、監視装置２０には、端局Ｔ２１の光送信器１１、光受信器１２（第２の光受信器）、給電装置１４及び合分波装置１５のアドレス情報が予め格納されている。監視装置２０は、監視装置１０の故障を検知した場合、送信先として光送信器１１、光受信器１２、給電装置１４及び合分波装置１５のアドレス情報Ａを指定して、監視装置２０のアドレスを示す情報を切替信号ＳＷ１に含める。その後、監視装置２０は、切替信号ＳＷ１をスイッチ２３へ出力する。
【００８０】
スイッチ２３は、切替信号ＳＷ１の送信先アドレスを参照して、切替信号ＳＷ１を光送信器２２のオーダワイヤポート２２Ｃへ送信する。光送信器２２のオーダワイヤポート２２Ｃに入力された切替信号ＳＷ１は、送信部２２Ａへ入力される。
【００８１】
送信部２２Ａは、受け取った切替信号ＳＷ１に応じて光信号を変調することにより生成された切替光信号ＯＳ１を、海底ケーブル１２０を介して端局Ｔ２１へ出力する。上述したように、送信部２２Ａは、切替信号ＳＷ１がオーダワイヤポート２２Ｃに入力された場合には、オーバヘッドの空き領域に監視装置２０のアドレスを格納する切替光信号ＯＳ１を出力することができる（オーダワイヤ機能）。
【００８２】
端局Ｔ２１の光受信器１２は、切替光信号ＯＳ１を受信し、切替光信号ＯＳ１を切替信号ＳＷ１に復調する。復調された切替信号ＳＷ１はスイッチ１３へ出力される。
【００８３】
スイッチ１３は、切替信号ＳＷ１の送信先アドレス参照して、監視装置２０のアドレスを示す情報を含む切替信号ＳＷ１を、光送信器１１、光受信器１２、給電装置１４及び合分波装置１５へそれぞれ出力する。
【００８４】
これにより、光送信器１１、光受信器１２、給電装置１４及び合分波装置１５は、それぞれの状態情報の出力先を、端局Ｔ２２の監視装置２０へ切り替えることができる。図１８に、実施の形態７にかかる海底光通信システム７００の切替後の信号の経路を示す。光送信器１１、光受信器１２、給電装置１４及び合分波装置１５は、それぞれの状態情報を示す通知信号Ｓ１１に、送信先が監視装置２０であることを示す情報を含めて、スイッチ１３へ出力する。
【００８５】
スイッチ１３は、通知信号の送信先アドレスを参照して、通知信号Ｓ１１を光送信器１１のオーダワイヤポート１１Ｃへ送信する。光送信器１１のオーダワイヤポート１１Ｃに入力された通知信号Ｓ１１は、送信部１１Ａへ入力される。
【００８６】
送信部１１Ａは、受け取った通知信号Ｓ１１に応じて光信号を変調することにより生成された通知光信号ＯＰ１を、海底ケーブル１２０を介して端局Ｔ２２へ出力する。
【００８７】
端局Ｔ２２の光受信器２１は、通知光信号ＯＰ１を受信し、通知信号Ｓ１１に復調する。復調された通知信号Ｓ１１はスイッチ２３へ出力される。
【００８８】
スイッチ２３は、通知信号Ｓ１１の送信先アドレスを参照して、通知信号Ｓ１１を監視装置２０へ送信する。これにより、監視装置２０は、通知信号Ｓ１１を参照することで、端局Ｔ２１の光送信器１１、光受信器１２、給電装置１４及び合分波装置１５の状態を監視することができる。
【００８９】
以上、本構成によれば、監視装置に故障が生じた場合に与える切替信号を、海底ケーブルを介して送信することができる。これにより、例えば通信ネットワーク１１０の使用が困難な場合でも、故障した監視装置を有する端局内の端局装置の状態の監視を、他の端局の監視装置で継続することが可能となる。
【００９０】
その他の実施の形態
なお、本発明は上記実施の形態に限られたものではなく、趣旨を逸脱しない範囲で適宜変更することが可能である。例えば、上述の実施の形態では、ＮＯＣ又は端局が監視装置の故障を検出するものとして説明したが、故障した監視装置を有する端局の他の処理部などが、自律的に監視装置の故障を検出してもよい。
【００９１】
実施の形態１〜６においても、実施の形態７にかかる海底光通信システムのように、海底ケーブルを通じて切替信号を送信してもよいことは言うまでもない。また、実施の形態７においては、切替信号ＳＷ１だけでなく、切替信号ＳＷ２も海底ケーブルを通じて送信してもよいことは、言うまでもない。
【００９２】
上述の実施の形態においては、ＵＭＳに代えて、ＳＤＮ（Software Defined Network）コントローラを用いてもよい。ＳＤＮコントローラはクラウドなどのネットワーク上に設定されていてもよい。ＳＤＮコントローラは、ネットワークの状態やオペレータからの指示に応じて、海底光通信システムの光信号の伝送経路や波長などを制御できる。また、ＳＤＮコントローラは、海底光通信システムの物理ネットワークトポロジやリソースを仮想的に管理し、複数のユーザやオペレータによるシステムの共有を実現できる。
【００９３】
端局に設けられた監視装置は、ルータを用いて、通信ネットワーク１１０を介した通信を行ってもよい。図１９に、実施の形態７にかかる海底光通信システム７００にルータを追加した構成を模式的に示す。図１９に示す様に、端局Ｔ２１の監視装置１０は、ルータ１６を通じて通信ネットワーク１１０を介した通信が行う。端局Ｔ２２の監視装置２０は、ルータ２６を通じて通信ネットワーク１１０を介した通信が行う。なお、ここでは、実施の形態７にかかる海底光通信システム７００にルータを追加した構成について説明したが、これは例示に過ぎない。実施の形態１〜６にかかる端局のそれぞれにルータを設け、監視装置がルータを通じて通信ネットワーク１１０を介した通信を行ってもよいことは、言うまでもない。
【符号の説明】
【００９４】
１０、２０  監視装置
１１、２２  光送信器
１１Ａ、２２Ａ  送信部
１１Ｂ、２２Ｂ  通知部
１２、２１  光受信器
１３、２３  スイッチ
１４、２４  給電装置
１５、２５  合分波装置
１６、２６、１０２  ルータ
１００、２００、３００、４００、５００、７００  海底光通信システム
１０１  ＵＭＳ
１１０  通信ネットワーク
１２０  海底ケーブル
ＩＮＦ１、ＩＮＦ２  信号
ＯＰ１、ＯＰ２  通知光信号
ＯＳ１  切替光信号
ＲＥＱ１、ＲＥＱ２  信号
Ｓ１１、Ｓ２２  通知信号
ＳＷ１、ＳＷ２  切替信号
Ｔ１１、Ｔ１２、Ｔ２１、Ｔ２２  端局
【図１】
2020120224.tif 000003
【図２】
2020120224.tif 000004
【図３】
2020120224.tif 000005
【図４】
2020120224.tif 000006
【図５】
2020120224.tif 000007
【図６】
2020120224.tif 000008
【図７】
2020120224.tif 000009
【図８】
2020120224.tif 000010
【図９】
2020120224.tif 000011
【図１０】
2020120224.tif 000012
【図１１】
2020120224.tif 000013
【図１２】
2020120224.tif 000014
【図１３】
2020120224.tif 000015
【図１４】
2020120224.tif 000016
【図１５】
2020120224.tif 000017
【図１６】
2020120224.tif 000018
【図１７】
2020120224.tif 000019
【図１８】
2020120224.tif 000020
【図１９】
2020120224.tif 000021